(57)【要約】 【課題】  情報漏洩を防止するとともに、出力装置に記憶させるデータ量を低減することが可能な情報処理システムを提供する。【解決手段】  ユーザが操作することで情報端末装置２から情報出力装置３に対して、ユーザ識別情報の送信および出力要求が行われると、情報出力装置３は、ユーザが装置の近傍に存在することを検出するために、ユーザが携帯する携帯記録媒体４に記憶されているユーザ識別情報を取得する。取得したユーザ識別情報が、情報端末装置２から受信したユーザ識別情報と一致すれば、情報出力装置３から情報端末装置２に対して印刷すべき出力データの送信要求が行われる。情報端末２は、情報出力装置３から送信要求を受けた時点で出力データを情報出力装置３に対して送信する。【選択図】      図１
2005346284.tif 000002
【特許請求の範囲】
【請求項１】
情報端末装置と情報出力装置とを有し、情報端末装置から送信された出力データを情報出力装置が受信して出力する情報処理システムであって、
情報端末装置は、
出力データを記憶する端末側記憶手段と、
ユーザが操作することで情報出力装置に出力させる出力データを指定する出力指定手段と、
ユーザを識別するためのユーザ識別情報を取得する端末側識別情報取得手段と、
ユーザ識別情報および出力データを情報出力装置に送信する端末側通信手段と、
出力指定手段によって出力データが指定されると、端末側通信手段にユーザ識別情報および出力データを送信させる端末側制御手段とを有し、
情報出力装置は、
ユーザ識別情報および出力データを情報端末装置から受信する出力側通信手段と、
受信した出力データを記憶する出力側記憶手段と、
受信した出力データを出力する出力手段と、
受信したユーザ識別情報に基づいて、ユーザが所定の範囲内に存在することを検出するユーザ検出手段と、
出力側通信手段が出力データを受信すると、出力手段に出力させる出力側制御手段とを有し、
端末側制御手段は、出力指定手段によって出力データが指定されると、端末側識別情報取得手段にユーザ識別情報を取得させ、端末側通信手段に取得したユーザ識別情報と、指定された出力データの出力要求とを送信させ、
出力側制御手段は、出力側通信手段がユーザ識別情報と、出力データの出力要求とを受信すると、ユーザ検出手段を動作させ、出力指定手段を操作したユーザが検出されると、出力側通信手段に出力データの送信要求を前記情報端末装置に対して送信させ、
端末側制御手段は、端末側通信手段が前記情報出力装置から出力データの送信要求を受信すると、端末側通信手段に指定された出力データを送信させ、
出力側制御手段は、出力側通信手段が出力データを受信すると、出力側記憶手段に出力データを記憶させ、出力手段に出力データを出力させることを特徴とする情報処理システム。
【請求項２】
情報端末装置と情報出力装置とを有し、情報端末装置から送信された出力データを情報出力装置が受信して出力する情報処理システムであって、
情報端末装置は、
出力データを記憶する端末側記憶手段と、
ユーザが操作することで情報出力装置に出力させる出力データおよび出力データを出力させる情報出力装置を指定する出力指定手段と、
ユーザを識別するためのユーザ識別情報を取得する端末側識別情報取得手段と、
ユーザ識別情報および出力データを出力指定手段により指定された情報出力装置に送信する端末側通信手段と、
出力指定手段によって出力データが指定されると、端末側通信手段に出力データを送信させる端末側制御手段とを有し、
情報出力装置は、
出力データを情報端末装置から受信する出力側通信手段と、
受信した出力データを記憶する出力側記憶手段と、
受信した出力データを出力する出力手段と、
所定の範囲内に存在するユーザを識別するためのユーザ識別情報を取得する出力側識別情報取得手段と、
出力側通信手段が出力データを受信すると、出力手段に出力させる出力側制御手段とを有し、
端末側制御手段は、
出力指定手段によって出力データおよび情報出力装置が指定されると、端末側識別情報取得手段にユーザ識別情報を取得させ、取得されたユーザ識別情報と指定された情報出力装置を識別するための出力装置識別情報と指定された出力データとを関連付けた出力データ関連情報を端末側記憶手段に記憶させ、端末側通信手段に、取得されたユーザ識別情報と自らの情報端末装置を識別するための端末装置識別情報とを関連付けた出力要求情報および指定された出力データの出力要求を送信させ、
出力側制御手段は、
出力側通信手段が出力要求情報および出力データの出力要求を受信すると、出力側識別情報取得手段を動作させ、受信した出力要求情報に含まれるユーザ識別情報と一致するユーザ識別情報を取得すると、出力側通信手段に、取得されたユーザ識別情報と自らの情報出力装置を識別するための出力装置識別情報とを関連付けた送信要求情報および出力データの送信要求を前記情報端末装置に対して送信させ、
端末側制御手段は、
端末側通信手段が前記情報出力装置から送信要求情報および出力データの送信要求を受信すると、端末側記憶手段に記憶している出力データ関連情報を参照し、受信した送信要求情報に含まれるユーザ識別情報および出力装置識別情報に関連付けられた出力データを端末側通信手段に送信させ、
出力側制御手段は、
出力側通信手段が出力データを受信すると、出力側記憶手段に出力データを記憶させ、出力手段に出力させることを特徴とする情報処理システム。
【請求項３】
情報端末装置、情報出力装置およびユーザ識別情報を記憶し書き換え可能な記録媒体を有し、情報端末装置から送信された出力データを情報出力装置が受信して出力する情報処理システムであって、
情報端末装置は、
出力データを記憶する端末側記憶手段と、
ユーザが操作することで情報出力装置に出力させる出力データを指定する出力指定手段と、
ユーザが携帯する記録媒体からユーザ識別情報を取得する端末側識別情報取得手段と、
出力データを情報出力装置に送信する端末側通信手段と、
記録媒体に記憶されている情報を書き換える情報書き換え手段と、
出力指定手段によって出力データが指定されると、端末側通信手段に出力データを送信させる端末側制御手段とを有し、
情報出力装置は、
出力データを情報端末装置から受信する出力側通信手段と、
受信した出力データを記憶する出力側記憶手段と、
受信した出力データを出力する出力手段と、
所定の範囲内に存在するユーザが携帯する記録媒体から、ユーザ識別情報と情報端末装置を識別するための端末装置識別情報とを関連付けた出力要求情報を取得する出力要求情報取得手段と、
出力側通信手段が出力データを受信すると、出力手段に出力させる出力側制御手段とを有し、
端末側制御手段は、
出力指定手段によって出力データが指定されると、端末側識別情報取得手段にユーザ識別情報を取得させ、取得されたユーザ識別情報と指定された出力データとを関連付けた出力データ関連情報を端末側記憶手段に記憶させ、情報書き換え手段を動作させて、取得されたユーザ識別情報と自らの情報端末装置を識別するための端末装置識別情報とを関連付けた出力要求情報を記録媒体に記憶させ、
出力側制御手段は、
出力要求情報取得手段を動作させ、所定の範囲内に存在するユーザが携帯する記録媒体から出力要求情報を取得すると、出力側通信手段に、取得された出力要求情報に含まれるユーザ識別情報からなる送信要求情報および出力データの送信要求を、取得された出力要求情報に含まれる端末装置識別情報と一致する情報端末装置に対して送信させ、
端末側制御手段は、
端末側通信手段が前記情報出力装置から送信要求情報および出力データの送信要求を受信すると、端末側記憶手段に記憶している出力データ関連情報を参照し、受信した送信要求情報であるユーザ識別情報に関連付けられた出力データを端末側通信手段に送信させ、
出力側制御手段は、
出力側通信手段が出力データを受信すると、出力側記憶手段に出力データを記憶させ、出力手段に出力させることを特徴とする情報処理システム。
【請求項４】
前記端末側制御手段は、出力データを端末側通信手段に送信させると、端末側記憶手段に記憶している出力データ関連情報を削除することを特徴とする請求項２または３記載の情報処理システム。
【請求項５】
前記出力側制御手段は、出力データを出力手段に出力させると、出力側記憶手段に記憶されている出力データを削除することを特徴とする請求項２または３記載の情報処理システム。
【請求項６】
情報出力装置は、
記録媒体に記憶されている情報を削除する情報削除手段をさらに有し、
前記出力側制御手段は、出力データを出力手段に出力させると、出力側記憶手段に記憶されている出力データを削除するとともに、情報削除手段に記録媒体に記憶されている出力要求情報を削除させることを特徴とする請求項３記載の情報処理システム。
【発明の詳細な説明】
【技術分野】
【０００１】
本発明は、情報端末装置と情報出力装置とを有し、情報端末装置から送信された出力データを情報出力装置が受信して出力する情報処理システムに関する。
【背景技術】
【０００２】
パーソナルコンピュータなど複数の情報処理装置が互いに通信可能に構成されたネットワークにおいては、複数の情報処理装置から画像データ、テキストデータなどを出力するための画像出力装置、いわゆるネットワークプリンタが使用される。ネットワークプリンタは、複数の情報処理装置で共用することができるので、設備の設置面積を縮小し、コストを低減することができる。しかし、不特定多数の出力が行われ、さらに通常は情報処理装置から離れた場所に設置されているので、印刷出力されてからユーザが入手するまでに時間差が生じる。ユーザが印刷物を入手するまでの間に、他のユーザが出力結果を入手したり、盗み見る可能性があり、情報漏洩などの危険性が生じることになる。このような問題を解決するために、以下の発明がなされている。
【０００３】
特許文献１記載のプリントステーションシステムは、印刷されたプリントデータを指定のボックスに出力し、プリントデータと対になる暗誦コードが入力されたときにボックスからプリントデータを排出する。
【０００４】
特許文献２記載のネットワークプリントシステムは、ホストコンピュータが、端末装置からプリントすべきデータを受信すると、データを送信した端末装置に対してジョブ番号を通知する。ユーザが通知されたジョブ番号を認識して、プリンタにジョブ番号を入力すると、データがプリント出力される。
【０００５】
特許文献３記載のネットワーク画像出力システムは、ホストコンピュータがプリンタに対してパスワードが付加された画像情報を送信し、ユーザがプリンタにパスワードを入力すると、画像情報を出力する。
【０００６】
特許文献４記載の印刷システムは、ホストが印刷データと識別コードとをプリンタに送信し、ユーザがプリンタに識別コードを入力する。ホストから識別コードが付与された印刷コマンドが送信されると印刷データを印刷する。
【０００７】
特許文献５記載の印刷制御装置は、ＰＨＳ電話機との通信機能を設け、パソコンから特定の電話番号が与えられた印刷ジョブが送信され、ＰＨＳ電話機から特定の電話番号を受信したときに印刷を行う。
【０００８】
特許文献６記載のプリンタセキュリティシステムは、指紋や手書き文字の画像データを予め登録し、この画像データに対して番号を付加してＩＤとすることで、コンピュータから番号を指示し、プリンタでは指紋や手書き文字の画像データを入力することで印刷を行う。
【０００９】
特許文献７記載の画像形成装置は、携帯電話装置のリンクキーとユーザＩＤとを対応させて登録しておき、印刷データとユーザＩＤとが送信されると、ユーザＩＤに対応するリンクキーを読み出し、読み出したリンクキーで接続認証が成立する携帯電話装置を検出すると、印刷を行う。
【００１０】
【特許文献１】特開昭６０−１７９８３１号公報
【特許文献２】特開平１０−２３５９７４号公報
【特許文献３】特開平１０−２９０３７２号公報
【特許文献４】特開２０００−１７７２１１号公報
【特許文献５】特開２００１−２１９６２７号公報
【特許文献６】特開２００２−１２７５４５号公報
【特許文献７】特開２００３−１５０３５４号公報
【発明の開示】
【発明が解決しようとする課題】
【００１１】
特許文献１記載のプリントステーションシステムは、構成が複雑であり、ユーザに暗誦コードを入力するための負荷が生じる。特許文献２記載のネットワークプリントシステムは、ユーザにジョブ番号を入力するための負荷が生じる。特許文献３記載のネットワーク画像出力システムは、ユーザにパスワードを入力するための負荷が生じる。特許文献４記載の印刷システムは、ユーザに識別コードを入力するための負荷が生じる。特許文献６記載のプリンタセキュリティシステムは、ユーザに指紋や手書き文字の画像データを予め登録する負荷が生じる。
【００１２】
特許文献５記載の印刷制御装置および特許文献７記載の画像形成装置は、ＰＨＳ電話機および携帯電話装置の無線通信機能を利用することでユーザの操作を軽減することはできるが、印刷すべきデータをプリンタなどの出力装置に記憶するため、出力装置が非常に大きな記憶容量を有する記憶手段を備える必要がある。また、出力装置が十分な記憶容量を備えていない場合には、データがオーバーフローし、エラーとして印刷できなくなったり、受信したデータが記憶されないなどの問題がある。
【００１３】
本発明の目的は、情報漏洩を防止するとともに、出力装置に記憶させるデータ量を低減することが可能な情報処理システムを提供することである。
【課題を解決するための手段】
【００１４】
本発明は、情報端末装置と情報出力装置とを有し、情報端末装置から送信された出力データを情報出力装置が受信して出力する情報処理システムであって、
情報端末装置は、
出力データを記憶する端末側記憶手段と、
ユーザが操作することで情報出力装置に出力させる出力データを指定する出力指定手段と、
ユーザを識別するためのユーザ識別情報を取得する端末側識別情報取得手段と、
ユーザ識別情報および出力データを情報出力装置に送信する端末側通信手段と、
出力指定手段によって出力データが指定されると、端末側通信手段にユーザ識別情報および出力データを送信させる端末側制御手段とを有し、
情報出力装置は、
ユーザ識別情報および出力データを情報端末装置から受信する出力側通信手段と、
受信した出力データを記憶する出力側記憶手段と、
受信した出力データを出力する出力手段と、
受信したユーザ識別情報に基づいて、ユーザが所定の範囲内に存在することを検出するユーザ検出手段と、
出力側通信手段が出力データを受信すると、出力手段に出力させる出力側制御手段とを有し、
端末側制御手段は、出力指定手段によって出力データが指定されると、端末側識別情報取得手段にユーザ識別情報を取得させ、端末側通信手段に取得したユーザ識別情報と、指定された出力データの出力要求とを送信させ、
出力側制御手段は、出力側通信手段がユーザ識別情報と、出力データの出力要求とを受信すると、ユーザ検出手段を動作させ、出力指定手段を操作したユーザが検出されると、出力側通信手段に出力データの送信要求を前記情報端末装置に対して送信させ、
端末側制御手段は、端末側通信手段が前記情報出力装置から出力データの送信要求を受信すると、端末側通信手段に指定された出力データを送信させ、
出力側制御手段は、出力側通信手段が出力データを受信すると、出力側記憶手段に出力データを記憶させ、出力手段に出力データを出力させることを特徴とする情報処理システムである。
【００１５】
また本発明は、情報端末装置と情報出力装置とを有し、情報端末装置から送信された出力データを情報出力装置が受信して出力する情報処理システムであって、
情報端末装置は、
出力データを記憶する端末側記憶手段と、
ユーザが操作することで情報出力装置に出力させる出力データおよび出力データを出力させる情報出力装置を指定する出力指定手段と、
ユーザを識別するためのユーザ識別情報を取得する端末側識別情報取得手段と、
ユーザ識別情報および出力データを出力指定手段により指定された情報出力装置に送信する端末側通信手段と、
出力指定手段によって出力データが指定されると、端末側通信手段に出力データを送信させる端末側制御手段とを有し、
情報出力装置は、
出力データを情報端末装置から受信する出力側通信手段と、
受信した出力データを記憶する出力側記憶手段と、
受信した出力データを出力する出力手段と、
所定の範囲内に存在するユーザを識別するためのユーザ識別情報を取得する出力側識別情報取得手段と、
出力側通信手段が出力データを受信すると、出力手段に出力させる出力側制御手段とを有し、
端末側制御手段は、
出力指定手段によって出力データおよび情報出力装置が指定されると、端末側識別情報取得手段にユーザ識別情報を取得させ、取得されたユーザ識別情報と指定された情報出力装置を識別するための出力装置識別情報と指定された出力データとを関連付けた出力データ関連情報を端末側記憶手段に記憶させ、端末側通信手段に、取得されたユーザ識別情報と自らの情報端末装置を識別するための端末装置識別情報とを関連付けた出力要求情報および指定された出力データの出力要求を送信させ、
出力側制御手段は、
出力側通信手段が出力要求情報および出力データの出力要求を受信すると、出力側識別情報取得手段を動作させ、受信した出力要求情報に含まれるユーザ識別情報と一致するユーザ識別情報を取得すると、出力側通信手段に、取得されたユーザ識別情報と自らの情報出力装置を識別するための出力装置識別情報とを関連付けた送信要求情報および出力データの送信要求を前記情報端末装置に対して送信させ、
端末側制御手段は、
端末側通信手段が前記情報出力装置から送信要求情報および出力データの送信要求を受信すると、端末側記憶手段に記憶している出力データ関連情報を参照し、受信した送信要求情報に含まれるユーザ識別情報および出力装置識別情報に関連付けられた出力データを端末側通信手段に送信させ、
出力側制御手段は、
出力側通信手段が出力データを受信すると、出力側記憶手段に出力データを記憶させ、出力手段に出力させることを特徴とする情報処理システムである。
【００１６】
また本発明は、情報端末装置、情報出力装置およびユーザ識別情報を記憶し書き換え可能な記録媒体を有し、情報端末装置から送信された出力データを情報出力装置が受信して出力する情報処理システムであって、
情報端末装置は、
出力データを記憶する端末側記憶手段と、
ユーザが操作することで情報出力装置に出力させる出力データを指定する出力指定手段と、
ユーザが携帯する記録媒体からユーザ識別情報を取得する端末側識別情報取得手段と、
出力データを情報出力装置に送信する端末側通信手段と、
記録媒体に記憶されている情報を書き換える情報書き換え手段と、
出力指定手段によって出力データが指定されると、端末側通信手段に出力データを送信させる端末側制御手段とを有し、
情報出力装置は、
出力データを情報端末装置から受信する出力側通信手段と、
受信した出力データを記憶する出力側記憶手段と、
受信した出力データを出力する出力手段と、
所定の範囲内に存在するユーザが携帯する記録媒体から、ユーザ識別情報と情報端末装置を識別するための端末装置識別情報とを関連付けた出力要求情報を取得する出力要求情報取得手段と、
出力側通信手段が出力データを受信すると、出力手段に出力させる出力側制御手段とを有し、
端末側制御手段は、
出力指定手段によって出力データが指定されると、端末側識別情報取得手段にユーザ識別情報を取得させ、取得されたユーザ識別情報と指定された出力データとを関連付けた出力データ関連情報を端末側記憶手段に記憶させ、情報書き換え手段を動作させて、取得されたユーザ識別情報と自らの情報端末装置を識別するための端末装置識別情報とを関連付けた出力要求情報を記録媒体に記憶させ、
出力側制御手段は、
出力要求情報取得手段を動作させ、所定の範囲内に存在するユーザが携帯する記録媒体から出力要求情報を取得すると、出力側通信手段に、取得された出力要求情報に含まれるユーザ識別情報からなる送信要求情報および出力データの送信要求を取得された出力要求情報に含まれる端末装置識別情報と一致する情報端末装置に対して送信させ、
端末側制御手段は、
端末側通信手段が前記情報出力装置から送信要求情報および出力データの送信要求を受信すると、端末側記憶手段に記憶している出力データ関連情報を参照し、受信した送信要求情報であるユーザ識別情報に関連付けられた出力データを端末側通信手段に送信させ、
出力側制御手段は、
出力側通信手段が出力データを受信すると、出力側記憶手段に出力データを記憶させ、出力手段に出力させることを特徴とする情報処理システムである。
【００１７】
また本発明は、前記端末側制御手段は、出力データを端末側通信手段に送信させると、端末側記憶手段に記憶している出力データ関連情報を削除することを特徴とする。
【００１８】
また本発明は、前記出力側制御手段は、出力データを出力手段に出力させると、出力側記憶手段に記憶されている出力データを削除することを特徴とする。
【００１９】
また本発明は、情報出力装置は、
記録媒体に記憶されている情報を削除する情報削除手段をさらに有し、
前記出力側制御手段は、出力データを出力手段に出力させると、出力側記憶手段に記憶されている出力データを削除するとともに、情報削除手段に記録媒体に記憶されている出力要求情報を削除させることを特徴とする。
【発明の効果】
【００２０】
本発明によれば、情報端末装置と情報出力装置とを有し、情報端末装置から送信された出力データを情報出力装置が受信して出力する情報処理システムである。
【００２１】
情報端末装置は、出力データを記憶する端末側記憶手段と、ユーザが操作することで情報出力装置に出力させる出力データを指定する出力指定手段と、ユーザを識別するためのユーザ識別情報を取得する端末側識別情報取得手段と、ユーザ識別情報および出力データを情報出力装置に送信する端末側通信手段と、出力指定手段によって出力データが指定されると、端末側通信手段にユーザ識別情報および出力データを送信させる端末側制御手段とを備えている。
【００２２】
また情報出力装置は、ユーザ識別情報および出力データを情報端末装置から受信する出力側通信手段と、受信した出力データを記憶する出力側記憶手段と、受信した出力データを出力する出力手段と、受信したユーザ識別情報に基づいて、ユーザが所定の範囲内に存在することを検出するユーザ検出手段と、出力側通信手段が出力データを受信すると、出力手段に出力させる出力側制御手段とを備えている。
【００２３】
出力指定手段によって出力データが指定されると、端末側制御手段は、端末側識別情報取得手段にユーザ識別情報を取得させ、端末側通信手段に取得したユーザ識別情報と、指定された出力データの出力要求とを送信させる。
【００２４】
出力側通信手段がユーザ識別情報と、出力データの出力要求とを受信すると、出力側制御手段は、ユーザ検出手段を動作させ、出力指定手段を操作したユーザが検出されると、出力側通信手段に出力データの送信要求を前記情報端末装置に対して送信させる。
【００２５】
端末側通信手段が前記情報出力装置から出力データの送信要求を受信すると、端末側制御手段は、端末側通信手段に指定された出力データを送信させる。
【００２６】
出力側通信手段が出力データを受信すると、出力側制御手段は、出力側記憶手段に出力データを記憶させ、出力手段に出力データを出力させる。
【００２７】
以上のように、情報端末装置が、情報出力装置からの要求を受けたときに出力データを情報出力装置に対して送信するので、出力側記憶手段に記憶する出力データ量を低減させることができ、オーバーフローなどの不具合の発生を防止することができる。さらに、出力指定を行ったユーザの存在が検出されてから、すなわちユーザが情報出力装置の近くに来てから出力を行うので、情報漏洩を防止することができる。
【００２８】
また本発明によれば、情報端末装置と情報出力装置とを有し、情報端末装置から送信された出力データを情報出力装置が受信して出力する情報処理システムである。
【００２９】
情報端末装置は、出力データを記憶する端末側記憶手段と、ユーザが操作することで情報出力装置に出力させる出力データおよび出力データを出力させる情報出力装置を指定する出力指定手段と、ユーザを識別するためのユーザ識別情報を取得する端末側識別情報取得手段と、ユーザ識別情報および出力データを出力指定手段により指定された情報出力装置に送信する端末側通信手段と、出力指定手段によって出力データが指定されると、端末側通信手段に出力データを送信させる端末側制御手段とを備えている。
【００３０】
また情報出力装置は、出力データを情報端末装置から受信する出力側通信手段と、受信した出力データを記憶する出力側記憶手段と、受信した出力データを出力する出力手段と、所定の範囲内に存在するユーザを識別するためのユーザ識別情報を取得する出力側識別情報取得手段と、出力側通信手段が出力データを受信すると、出力手段に出力させる出力側制御手段とを備えている。
【００３１】
出力指定手段によって出力データおよび情報出力装置が指定されると、端末側制御手段は、端末側識別情報取得手段にユーザ識別情報を取得させ、取得されたユーザ識別情報と指定された情報出力装置を識別するための出力装置識別情報と指定された出力データとを関連付けた出力データ関連情報を端末側記憶手段に記憶させ、端末側通信手段に、取得されたユーザ識別情報と自らの情報端末装置を識別するための端末装置識別情報とを関連付けた出力要求情報および指定された出力データの出力要求を送信させる。
【００３２】
出力側通信手段が出力要求情報および出力データの出力要求を受信すると、出力側制御手段は、出力側識別情報取得手段を動作させ、受信した出力要求情報に含まれるユーザ識別情報と一致するユーザ識別情報を取得すると、出力側通信手段に、取得されたユーザ識別情報と自らの情報出力装置を識別するための出力装置識別情報とを関連付けた送信要求情報および出力データの送信要求を前記情報端末装置に対して送信させる。
【００３３】
端末側通信手段が前記情報出力装置から送信要求情報および出力データの送信要求を受信すると、端末側制御手段は、端末側記憶手段に記憶している出力データ関連情報を参照し、受信した送信要求情報に含まれるユーザ識別情報および出力装置識別情報に関連付けられた出力データを端末側通信手段に送信させる。
【００３４】
出力側通信手段が出力データを受信すると、出力側制御手段は、出力側記憶手段に出力データを記憶させ、出力手段に出力させる。
【００３５】
以上のように、情報端末装置が、情報出力装置からの要求を受けたときに出力データを情報出力装置に対して送信するので、出力側記憶手段に記憶する出力データ量を低減させることができ、オーバーフローなどの不具合の発生を防止することができる。さらに、出力指定を行ったユーザの存在が検出されてから、すなわちユーザが情報出力装置の近くに来てから出力を行うので、情報漏洩を防止することができる。
【００３６】
また本発明によれば、情報端末装置、情報出力装置およびユーザ識別情報を記憶し書き換え可能な記録媒体を有し、情報端末装置から送信された出力データを情報出力装置が受信して出力する情報処理システムである。
【００３７】
情報端末装置は、出力データを記憶する端末側記憶手段と、ユーザが操作することで情報出力装置に出力させる出力データを指定する出力指定手段と、ユーザが携帯する記録媒体からユーザ識別情報を取得する端末側識別情報取得手段と、出力データを情報出力装置に送信する端末側通信手段と、記録媒体に記憶されている情報を書き換える情報書き換え手段と、出力指定手段によって出力データが指定されると、端末側通信手段に出力データを送信させる端末側制御手段とを備えている。
【００３８】
また情報出力装置は、出力データを情報端末装置から受信する出力側通信手段と、受信した出力データを記憶する出力側記憶手段と、受信した出力データを出力する出力手段と、所定の範囲内に存在するユーザが携帯する記録媒体から、ユーザ識別情報と情報端末装置を識別するための端末装置識別情報とを関連付けた出力要求情報を取得する出力要求情報取得手段と、出力側通信手段が出力データを受信すると、出力手段に出力させる出力側制御手段とを備えている。
【００３９】
出力指定手段によって出力データが指定されると、端末側制御手段は、端末側識別情報取得手段にユーザ識別情報を取得させ、取得されたユーザ識別情報と指定された出力データとを関連付けた出力データ関連情報を端末側記憶手段に記憶させ、情報書き換え手段を動作させて、取得されたユーザ識別情報と自らの情報端末装置を識別するための端末装置識別情報とを関連付けた出力要求情報を記録媒体に記憶させる。
【００４０】
所定の範囲内に存在するユーザが携帯する記録媒体から出力要求情報を取得すると、出力側制御手段は、出力側通信手段に、取得された出力要求情報に含まれるユーザ識別情報からなる送信要求情報および出力データの送信要求を取得された出力要求情報に含まれる端末装置識別情報と一致する情報端末装置に対して送信させる。
【００４１】
端末側通信手段が前記情報出力装置から送信要求情報および出力データの送信要求を受信すると、端末側制御手段は、端末側記憶手段に記憶している出力データ関連情報を参照し、受信した送信要求情報であるユーザ識別情報に関連付けられた出力データを端末側通信手段に送信させる。
【００４２】
出力側通信手段が出力データを受信すると、出力側制御手段は、出力側記憶手段に出力データを記憶させ、出力手段に出力させる。
【００４３】
以上のように、情報端末装置が、情報出力装置からの要求を受けたときに出力データを情報出力装置に対して送信するので、出力側記憶手段に記憶する出力データ量を低減させることができ、オーバーフローなどの不具合の発生を防止することができる。さらに、ユーザが所望の情報出力装置の近くに移動することで出力要求が行われるので、ユーザが予め出力先を入力する必要がなく、簡単な操作で出力を行うことができ、情報漏洩を防止することもできる。
【００４４】
また本発明によれば、前記端末側制御手段は、出力データを端末側通信手段に送信させると、端末側記憶手段に記憶している出力データ関連情報を削除する。
【００４５】
これにより、情報端末装置が出力データを複数回送信する多重送信を防止することができる。
【００４６】
また本発明によれば、前記出力側制御手段は、出力データを出力手段に出力させると、出力側記憶手段に記憶されている出力データを削除する。
【００４７】
これにより、情報出力装置が出力データを複数回出力する多重出力を防止することができる。
【００４８】
また本発明によれば、情報出力装置は、記録媒体に記憶されている情報を削除する情報削除手段をさらに備えている。
【００４９】
出力データを出力手段に出力させると、前記出力側制御手段は、出力側記憶手段に記憶されている出力データを削除するとともに、情報削除手段に記録媒体に記憶されている出力要求情報を削除させる。
これにより、多重送信および多重出力を防止することができる。
【発明を実施するための最良の形態】
【００５０】
図１は、本発明の第１の実施形態である情報処理システム１の概略を示す図である。情報処理システム１は、情報端末装置２、情報出力装置３および携帯記録媒体４を含んで構成される。情報端末装置２は、たとえばパーソナルコンピュータ（ＰＣ）などで実現され、情報出力装置３は、たとえばネットワークプリンタなどで実現される。情報端末装置２および情報出力装置３は、ＬＡＮ（Local Area Network）ケーブル５に接続され、このケーブル５を介して相互に有線通信を行う。携帯記録媒体４は、たとえば、磁気カード、ＩＣ（Integral Circuit）カードなどの接触型記録媒体およびＲＦＩＤ（Radio
Frequency Identification）タグなどの非接触型記録媒体などで実現され、情報端末装置２および情報出力装置３と通信を行う。本実施形態では、情報処理システム１は、２台の情報端末装置２ａ,２ｂ、２台の情報出力装置３ａ,３ｂおよび２つの携帯記録媒体４ａ,４ｂを含むように構成されているが、台数および個数はこれに限らない。
【００５１】
図２は、情報端末装置２の構成を示すブロック図である。情報端末装置２は、端末側制御部２１、端末側識別情報取得部２２、出力先指定部２３、端末側データ管理部２４および端末側通信部２５を含んで構成される。端末側制御部２１は、ＣＰＵ（中央演算処理装置）などで実現され、端末側データ管理部２４に記憶される制御プラグラムに基づいて情報端末装置２全体の制御を行う端末側制御手段である。端末側識別情報取得部２２は、後述の携帯記録媒体４に記憶されているユーザ識別情報を、無線通信などにより携帯記録媒体４から取得する端末側識別情報取得手段である。携帯記録媒体４がＩＣカードであれば、端末側識別情報取得部２２はカード読取装置で構成され、携帯記録媒体４がＲＦＩＤタグであれば、端末側識別情報取得部２２は質問器で構成される。このように、情報端末装置２は、使用する携帯記録媒体４に応じた端末側識別情報取得部２２を備えればよく、複数種類の端末側識別情報取得部２２を備えていてもよい。出力先指定部２３は、キーボード、マウスなどの入力手段と、入力手段によってユーザが文字の入力、項目の選択などを行うための画面を表示する表示手段とを含む出力指定手段である。端末側データ管理部２４は、ＲＯＭ（Read Only Memory）、ＲＡＭ（Random Access Memory）およびＨＤＤ（
Hard Disk Drive）などを複合的に備え、制御プログラム、出力データ送信処理プログラム、各種アプリケーションプログラムなどの他に、印刷すべき出力データならびに後述の出力データ関連情報、出力要求情報および送信要求情報を記憶する端末側記憶手段である。端末側通信部２５は、ＬＡＮケーブル５に接続され、ＴＣＰ／ＩＰ（Transmission
Control Protocol/Internet Protocol）など所定のプロトコルに基づいて他の情報端末装置２および情報出力装置３との通信を行う端末側通信手段である。
【００５２】
図３は、情報出力装置３の構成を示すブロック図である。情報出力装置３は、出力側制御部３１、出力側識別情報取得部３２、印刷部３３、出力側データ管理部３４および出力側通信部３５を含んで構成される。出力側制御部３１は、ＣＰＵなどで実現され、出力側データ管理部３４に記憶される制御プラグラムに基づいて情報出力装置３全体の制御を行う出力側制御手段である。出力側識別情報取得部３２は、端末側識別情報取得部２２と同様の構成であり、後述の携帯記録媒体４に記憶されているユーザ識別情報を、無線通信などにより携帯記録媒体４から取得する出力側識別情報取得手段である。印刷部３３は、情報出力装置３がインクジェットプリンタであればインクヘッドなどを含み、情報出力装置３がレーザプリンタであれば感光体、現像装置などを含んで用紙などに画像を形成する出力手段である。端末側データ管理部３４は、ＲＯＭ、ＲＡＭおよびＨＤＤなどを複合的に備え、制御プログラム、出力データ印刷処理プログラムなどの他に、情報端末装置２から送信された出力データならびに後述の出力要求情報および送信要求情報を記憶する出力側記憶手段である。出力側通信部３５は、ＬＡＮケーブル５に接続され、ＴＣＰ／ＩＰなど所定のプロトコルに基づいて情報端末装置２との通信を行う出力側通信手段である。なお、ユーザ検出手段は、出力側識別情報取得部３２および携帯記録媒体４から構成される。
【００５３】
図４は、携帯記録媒体４の構成を示すブロック図である。携帯記録媒体４は、媒体側制御部４１、識別情報記憶部４２および媒体側通信部４３を含んで構成される。媒体側制御部４１はＩＣチップなどで実現され、情報の記録および通信の制御を行う。識別情報記憶部４２は、ＲＯＭまたはＲＡＭなどで実現され、ユーザ識別情報を記憶する。媒体側通信部４３は、情報端末装置２の端末側識別情報取得部２２および情報出力装置３の出力側識別情報取得部３２と無線通信を行う。なお、携帯記録媒体４は、少なくともユーザ識別情報を記憶する手段と、記憶しているユーザ識別情報を送信する手段を含んでいればよく、ＲＦＩＤタグなどであれば、媒体側制御部４１は必ずしも必要ではない。
【００５４】
図５は、情報端末装置２による出力データ送信処理を示すフローチャートであり、図６は、情報出力装置３による出力データ印刷処理を示すフローチャートである。
【００５５】
まず、ステップＳ１でユーザによって出力先指定部２３が操作され、印刷すべき出力データと、その出力先である情報出力装置３が指定されると、ステップＳ２で端末側制御部２１の指示により、端末側識別情報取得部２２が、携帯記録媒体４との通信を行い、ユーザ識別情報を取得する。端末側識別情報取得部２２によりユーザ識別情報が端末側制御部２１に通知されると、端末側制御部２１は端末側データ管理部２４に対し、出力データ関連情報を記録するよう指示を与え、ステップＳ３では、端末側データ管理部２４が出力データ関連情報を記録する。図７は、出力データ関連情報５の例を示す図である。出力データ関連情報５は、ユーザ識別情報であるユーザＩＤ５１、出力装置識別情報である情報出力装置３のＩＰアドレス５２および出力データ識別情報である出力データのファイルパス５３からなり、これらを関連付けたものである。ユーザＩＤ５１は、ステップＳ２で端末側識別情報取得部２２が携帯記録媒体４から取得したユーザ識別情報であり、情報出力装置３のＩＰアドレス５２および出力データのファイルパス５３は、ステップＳ１でユーザによって指定された情報出力装置３のＩＰアドレスおよびユーザによって指定された印刷すべき出力データのファイルパスである。
【００５６】
端末側データ管理部２４により出力データ関連情報を記録したことが端末側制御部２１に通知されると、ステップＳ４で、端末側制御部２１は、端末側通信部２５を介して、指定された情報出力装置３にデータ出力要求を送信する。このとき、出力要求情報を作成して指定された情報出力装置３に送信する。図８は、出力要求情報６の例を示す図である。出力要求情報６は、ユーザＩＤ６１および端末装置識別情報である情報端末装置２のＩＰアドレス６２からなり、これらを関連付けたものである。ユーザＩＤ６１は、出力データ関連情報５に記載されたユーザＩＤ５１と同一であり、情報端末装置２のＩＰアドレス６２は、出力要求情報６を送信しようとする装置自体のＩＰアドレスである。
【００５７】
情報出力装置３は、情報端末装置２から上記のデータ出力要求を受信すると、出力データ印刷処理を開始するので、ここで図６に示す情報出力装置３のフローチャートについて説明する。ステップＳ１１では、出力側通信部３５が情報端末装置２からデータ出力要求および出力要求情報を受信する。出力側通信部３５がデータ出力要求および出力要求情報を受信したことを出力側制御部３１に通知すると、出力側制御部２１は出力側データ管理部３４に対し、出力要求情報を記録するように指示を与え、ステップＳ１２で、出力側データ管理部３４は出力要求情報を記録する。
【００５８】
出力要求情報が記録されると、出力側制御部３１は出力側識別情報取得部３２に対し、ユーザ識別情報を取得するよう指示を与え、ステップＳ１３では、ユーザ識別情報を取得したかどうかを判断する。取得すればステップＳ１４に進み、取得しなければ待機する。ステップＳ１４では、出力側識別情報取得部３２から出力側制御部３１にユーザ識別情報が通知され、出力側制御部３１が通知されたユーザ識別情報と、出力側データ管理部３４が記憶している出力要求情報とを照合する。これは、出力側識別情報取得部３２の通信可能範囲に携帯記録媒体４が入るまで、すなわちユーザが情報出力装置３の近くに来るまで情報出力装置３は待機しており、出力側識別情報取得部３２がユーザ識別情報を受信すると処理を再開することになる。ただし、必ずしもデータの出力を指定したユーザだけが情報出力装置３に近づくわけではないので、取得したユーザ識別情報と出力要求情報とを照合する必要がある。
【００５９】
ステップＳ１５では、照合の結果、記憶している出力要求情報のユーザ識別情報と取得したユーザ識別情報とが一致するかどうかを判断し、一致すればステップＳ１６に進み、一致しなければステップＳ１３に戻る。
【００６０】
データの出力を指定したユーザが情報出力装置３の近くにいるとしてステップＳ１６では、出力側制御部３１は、出力要求情報を参照し、一致したユーザ識別情報に関連付けられている情報端末装置識別情報に基づいて情報端末装置２に出力データ送信要求を送信する。このとき、送信要求情報も同様に送信する。図９は、送信要求情報７の例を示す図である。送信要求情報７は、ユーザＩＤ７１および情報出力装置３のＩＰアドレス７２からなり、これらを関連付けたものである。ユーザＩＤ７１は、出力側識別情報取得部３２が取得したユーザＩＤと同一であり、情報出力装置３のＩＰアドレス７２は、送信要求情報７を送信しようとする装置自体のＩＰアドレスである。
【００６１】
ここで図５に戻り、情報端末装置２の動作を説明する。
ステップＳ５では、情報出力装置３から出力データ送信要求および送信要求情報を受信したかどうかを判断する。受信すればステップＳ６に進み、受信しなければ待機する。ステップＳ６では、端末側制御部２１が、受信した送信要求情報に基づいて、端末側データ管理部２４が記憶している出力データ関連情報を検索し、受信した送信要求情報のユーザＩＤおよび情報出力装置３のＩＰアドレスが共に関連付けられた出力データのファイルパスを抽出する。ステップＳ７では、端末側制御部２１が、抽出されたファイルパスの出力データを、端末側通信部２５を介して、出力データ送信要求を送信した情報出力装置３に送信する。ステップＳ８では、端末側制御部２１が端末側データ管理部２４に記憶されている出力データ関連情報、ならびに出力要求情報および送信要求情報を削除して処理を終了する。
【００６２】
情報出力装置３では、ステップＳ１７で出力側制御部３１が情報端末装置２から出力データを受信したかどうかを判断し、受信すればステップＳ１８に進み、受信しなければ待機する。ステップＳ１８では、出力側制御部３１の指示により、受信した出力データを印刷部３３が印刷して出力する。ステップＳ１９では、出力側データ管理部３４に記憶されている受信した出力データ、ならびに出力要求情報および送信要求情報を削除して処理を終了する。
【００６３】
以上のように、情報端末装置２が、情報出力装置３からの要求を受けたときに出力データを情報出力装置３に対して送信するので、出力側データ管理部３４に記憶する出力データ量を低減させることができ、オーバーフローなどの不具合の発生を防止することができる。さらに、出力指定を行ったユーザの存在が検出されてから、すなわちユーザが情報出力装置３の近くに来てから出力を行うので、情報漏洩を防止することができる。
【００６４】
また、出力データ関連情報、ならびに出力要求情報および送信要求情報を削除することで、情報端末装置２が出力データを複数回送信する多重送信を防止することができ、受信した出力データ、ならびに出力要求情報および送信要求情報を削除することで、情報出力装置３が出力データを複数回印刷する多重印刷を防止することができる。
【００６５】
次に本発明の第２の実施形態について説明する。情報処理システム１の概略は、第１の実施形態と同様であるので、図面および説明は省略する。本実施形態では、情報処理システム１は、情報端末装置８、情報出力装置９および携帯記録媒体１０を含んで構成される。
【００６６】
図１０は、情報端末装置８の構成を示すブロック図である。情報端末装置８は、端末側制御部８１、端末側情報取得部８２、出力データ指定部８３、端末側データ管理部８４、端末側通信部８５および情報記録部８６を含んで構成される。端末側制御部８１は、ＣＰＵなどで実現され、端末側データ管理部８４に記憶される制御プラグラムに基づいて情報端末装置８全体の制御を行う端末側制御手段である。端末側情報取得部８２は、後述の携帯記録媒体１０に記憶されているユーザ識別情報を、無線通信などにより携帯記録媒体１０から取得する端末側識別情報取得手段である。携帯記録媒体１０がＩＣカードであれば、端末側情報取得部８２はカード読取装置で構成され、携帯記録媒体１０がＲＦＩＤタグであれば、端末側情報取得部８２は質問器で構成される。このように、情報端末装置８は、使用する携帯記録媒体１０に応じた端末側情報取得部８２を備えればよく、複数種類の端末側識別情報取得部８２を備えていてもよい。出力データ指定部８３は、キーボード、マウスなどの入力手段と、入力手段によってユーザが文字の入力、項目の選択などを行うための画面を表示する表示手段とを含む出力指定手段である。端末側データ管理部８４は、ＲＯＭ、ＲＡＭおよびＨＤＤなどを複合的に備え、制御プログラム、出力データ送信処理プログラム、各種アプリケーションプログラムなどの他に、印刷すべき出力データならびに後述の出力データ関連情報および送信要求情報を記憶する端末側記憶手段である。端末側通信部８５は、ＬＡＮケーブル５に接続され、ＴＣＰ／ＩＰなど所定のプロトコルに基づいて他の情報端末装置８および情報出力装置９との通信を行う端末側通信手段である。情報記録部８６は、携帯記録媒体１０に端末装置識別情報などを記録し、出力要求情報を作成する情報書き換え手段である。
【００６７】
図１１は、情報出力装置９の構成を示すブロック図である。情報出力装置９は、出力側制御部９１、出力側情報取得部９２、印刷部９３、出力側データ管理部９４、出力側通信部９５および情報削除部９６を含んで構成される。出力側制御部９１は、ＣＰＵなどで実現され、出力側データ管理部９４に記憶される制御プラグラムに基づいて情報出力装置９全体の制御を行う出力側制御手段である。出力側情報取得部９２は、端末側情報取得部９２と同様の構成であり、後述の携帯記録媒体１０に記憶されている出力要求情報を、無線通信などにより携帯記録媒体１０から取得する出力要求情報取得手段である。印刷部９３は、情報出力装置９がインクジェットプリンタであればインクヘッドなどを含み、情報出力装置９がレーザプリンタであれば感光体、現像装置などを含んで用紙などに画像を形成する出力手段である。端末側データ管理部９４は、ＲＯＭ、ＲＡＭおよびＨＤＤなどを複合的に備え、制御プログラム、出力データ印刷処理プログラムなどの他に、情報端末装置８から送信された出力データならびに後述の出力要求情報および送信要求情報を記憶する出力側記憶手段である。出力側通信部９５は、ＬＡＮケーブル５に接続され、ＴＣＰ／ＩＰなど所定のプロトコルに基づいて情報端末装置８との通信を行う出力側通信手段である。情報削除部９６は、携帯記録媒体１０に記録されている端末装置識別情報などを削除する情報削除手段である。
【００６８】
図１２は、携帯記録媒体１０の構成を示すブロック図である。携帯記録媒体１０は、媒体側制御部１０１、媒体側データ管理部１０２および媒体側通信部１０３を含んで構成される。媒体側制御部１０１はＩＣチップなどで実現され、情報の記録および通信の制御を行う。媒体側データ管理部１０２は、ＲＯＭまたはＲＡＭなどで実現され、ユーザ識別情報を含む出力要求情報を記憶する。媒体側通信部１０３は、情報端末装置８の端末側情報取得部８２、情報記録部８６および情報出力装置９の出力側情報取得部９２、情報削除部９６と無線通信を行う。
【００６９】
図１３は、情報端末装置８による出力データ送信処理を示すフローチャートであり、図１４は、情報出力装置９による出力データ印刷処理を示すフローチャートである。
【００７０】
まず、ステップＳ２１でユーザによって出力データ指定部８３が操作され、印刷すべき出力データが指定されると、ステップＳ２２で端末側制御部８１の指示により、端末側情報取得部８２が、携帯記録媒体１０との通信を行い、ユーザ識別情報を取得する。端末側情報取得部８２によりユーザ識別情報が端末側制御部８１に通知されると、端末側制御部８１は端末側データ管理部８４に対し、出力データ関連情報を記録するよう指示を与え、ステップＳ２３では、端末側データ管理部８４が出力データ関連情報を記録する。図１５は、出力データ関連情報１１の例を示す図である。出力データ関連情報１１は、ユーザ識別情報であるユーザＩＤ１１１および出力データ識別情報である出力データのファイルパス１１２からなり、これらを関連付けたものである。ユーザＩＤ１１１は、ステップＳ２２で端末側情報取得部８２が携帯記録媒体１０から取得したユーザ識別情報であり、出力データのファイルパス１１３は、ステップＳ２１でユーザによって指定された印刷すべき出力データのファイルパスである。
【００７１】
端末側データ管理部８４により出力データ関連情報を記録したことが端末側制御部８１に通知されると、ステップＳ２４で情報記録部８６が、携帯記録媒体１０の媒体側データ管理部１０２に端末装置識別情報を記録し、出力要求情報を作成する。図１６は、出力要求情報１２の例を示す図である。出力要求情報１２は、ユーザＩＤ１２１および端末装置識別情報である情報端末装置８のＩＰアドレス６２からなり、これらを関連付けたものである。ユーザＩＤ１２１は、携帯記録媒体１０自体に予め記憶されているユーザＩＤであり、情報端末装置２のＩＰアドレス１２２は、出力要求情報１２を作成しようとする情報端末装置８のＩＰアドレスである。
【００７２】
情報出力装置９は、ユーザが近づくと、すなわちユーザが所持する携帯記録媒体１０が出力側識別情報取得部３２の通信可能範囲に入ると、出力データ印刷処理を開始するので、ここで図１４に示す情報出力装置３のフローチャートについて説明する。出力側制御部９１は、出力側情報取得部９２に対し、出力要求情報を取得するよう指示を与え、出力側情報取得部９２が連続的または断続的に携帯記録媒体１０との通信を試みており、ステップＳ３１で、携帯記録媒体１０から出力要求情報を取得したかどうかを判断する。取得すれば、出力要求情報を出力側データ管理部９４に記録してステップＳ３２に進み、取得しなければ待機する。
【００７３】
ステップＳ３２で、出力側制御部９１は、取得した出力要求情報に基づいて情報端末装置８に出力データ送信要求および送信要求情報を送信する。本実施形態では、送信要求情報は、ユーザ識別情報であるユーザＩＤのみからなる。
【００７４】
ここで図１３に戻り、情報端末装置８の動作を説明する。
ステップＳ２５では、情報出力装置９から出力データ送信要求および送信要求情報を受信したかどうかを判断する。受信すればステップＳ２６に進み、受信しなければ待機する。ステップＳ２６では、端末側制御部８１が、端末側データ管理部８４に記憶されている出力データ関連情報を検索し、受信した送信要求情報であるユーザＩＤに関連付けられた出力データのファイルパスを抽出する。ステップＳ２７では、端末側制御部８１が、抽出されたファイルパスの出力データを、端末側通信部８５を介して、出力データ送信要求を送信した情報出力装置９に送信する。ステップＳ２８では、端末側制御部８１が端末側データ管理部８４に記憶されている出力データ関連情報および送信要求情報を削除して処理を終了する。
【００７５】
情報出力装置９では、ステップＳ３３で出力側制御部９１が情報端末装置８から出力データを受信したかどうかを判断し、受信すればステップＳ３４に進み、受信しなければ待機する。ステップＳ３４では、出力側制御部９１の指示により、受信した出力データを印刷部９３が印刷して出力する。ステップＳ３５では、出力側制御部９１が、出力側データ管理部９４に記憶されている受信した出力データ、ならびに出力要求情報および送信要求情報を削除し、情報削除部９６によって携帯記録媒体１０の媒体側データ管理部１０２に記憶されている出力要求情報を削除して処理を終了する。
【００７６】
以上のように、情報端末装置８が、情報出力装置９からの要求を受けたときに出力データを情報出力装置９に対して送信するので、出力側データ管理部９４に記憶する出力データ量を低減させることができ、オーバーフローなどの不具合の発生を防止することができる。さらに、ユーザが所望の情報出力装置９の近くに移動することで出力要求が行われるので、ユーザが予め出力先を入力する必要がなく、簡単な操作で出力を行うことができ、情報漏洩を防止することもできる。
【００７７】
また、出力データ関連情報および送信要求情報を削除することで、情報端末装置８が出力データを複数回送信する多重送信を防止することができ、受信した出力データ、ならびに出力要求情報および送信要求情報を削除することで、情報出力装置９が出力データを複数回印刷する多重印刷を防止することができる。
【００７８】
なお、図７〜図９、図１５および図１６に示したユーザ識別情報、端末装置識別情報、出力装置識別情報および出力データ識別情報の具体例は一例であり、他の情報を用いてもよい。また、情報端末装置２,８がＰＣの場合には、システムへのログイン時にユーザが入力するアカウントをユーザ識別情報として使用してもよい。この場合、情報端末装置２,８は、端末側識別情報取得部２２を備えなくてもよい。
【図面の簡単な説明】
【００７９】
【図１】本発明の第１の実施形態である情報処理システム１の概略を示す図である。
【図２】情報端末装置２の構成を示すブロック図である。
【図３】情報出力装置３の構成を示すブロック図である。
【図４】携帯記録媒体４の構成を示すブロック図である。
【図５】情報端末装置２による出力データ送信処理を示すフローチャートである。
【図６】情報出力装置３による出力データ印刷処理を示すフローチャートである。
【図７】出力データ関連情報５の例を示す図である。
【図８】出力要求情報６の例を示す図である。
【図９】送信要求情報７の例を示す図である。
【図１０】情報端末装置８の構成を示すブロック図である。
【図１１】情報出力装置９の構成を示すブロック図である。
【図１２】携帯記録媒体１０の構成を示すブロック図である。
【図１３】情報端末装置８による出力データ送信処理を示すフローチャートである。
【図１４】情報出力装置９による出力データ印刷処理を示すフローチャートである。
【図１５】出力データ関連情報１１の例を示す図である。
【図１６】出力要求情報１２の例を示す図である。
【符号の説明】
【００８０】
１  情報処理システム
２,８  情報端末装置
３,９  情報出力装置
４,１０  携帯記録媒体
５  ＬＡＮ（Local Area Network）ケーブル
２１,８１  端末側制御部
２２  端末側識別情報取得部
２３  出力先指定部
２４,８４  端末側データ管理部
２５,８５  端末側通信部
３１,９１  出力側制御部
３２  出力側識別情報取得部
３３,９３  印刷部
３４,９４  出力側データ管理部
３５,９５  出力側通信部
４１,１０１  媒体側制御部
４２  識別情報記憶部
４３,１０３  媒体側通信部
８２  端末側情報取得部
８３  出力データ指定部
８６  情報記録部
９２  出力側情報取得部
９６  情報削除部
１０２  媒体側データ管理部
【図１】
2005346284.tif 000003
【図２】
2005346284.tif 000004
【図３】
2005346284.tif 000005
【図４】
2005346284.tif 000006
【図５】
2005346284.tif 000007
【図６】
2005346284.tif 000008
【図７】
2005346284.tif 000009
【図８】
2005346284.tif 000010
【図９】
2005346284.tif 000011
【図１０】
2005346284.tif 000012
【図１１】
2005346284.tif 000013
【図１２】
2005346284.tif 000014
【図１３】
2005346284.tif 000015
【図１４】
2005346284.tif 000016
【図１５】
2005346284.tif 000017
【図１６】
2005346284.tif 000018